(57)【要約】  【課題】送り配線用のケーブルをボディの内部に引き込んで引き回す必要をなくし、配線を容易とする。  【解決手段】映像用機器および通信用機器の少なくとも一方を内器として収容して構成されるマルチメディアポートにおいて、情報盤を構成するボディ１内に中継端子台１０２を備えた。この中継端子台１０２は、ボディ１の外部から送り配線される一対の電線と接続される一方、ボディ１の内部ケーブルにより所定の送り配線用の内器と接続される。【選択図】図１
2005079341.tif 000002
【特許請求の範囲】
【請求項１】
映像用機器および通信用機器の少なくとも一方を内器として１ないし複数情報盤内に収容して構成されるマルチメディアポートであって、前記情報盤を構成するボディ内に中継端子台を備え、この中継端子台は、送り配線される少なくとも一対の外部ケーブルと接続される一方、内部ケーブルにより所定の送り配線用の内器と接続されることを特徴とするマルチメディアポート。
【発明の詳細な説明】
【技術分野】
【０００１】
本発明は、映像用機器および通信用機器の少なくとも一方を内器として１ないし複数情報盤内に収容して構成されるマルチメディアポートに関するものである。
【背景技術】
【０００２】
従来、この種のマルチメディアポートは各種市販されまた提案されている。例えば、特許文献１には、中継配線を１台で集中させることができる上に、並設する他の機器との寸法が統一されて配設スペースを大きくとらないモジュラジャック中継端子台を含むマルチメディアポートが記載されている。
【特許文献１】特開２０００−１３３３６３号公報
【発明の開示】
【発明が解決しようとする課題】
【０００３】
ところで、家庭機器を遠隔監視制御するために、ホームゲートウェイおよびＳＣＰ(Simple Contorol Protocol)ユニットなどを用いるシステムが提案されているが、そのようなＳＣＰユニットなどの送り配線用の内器を情報盤内に収容する場合、上記モジュラジャック中継端子台のような構成では、送り配線用のケーブルをボディの内部に引き込むなどして配線しなければならず、配線が非常に手間となるという課題が生じる。
【０００４】
本発明は、上記事情に鑑みてなされたものであり、送り配線用のケーブルをボディの内部に引き込んで引き回す必要をなくし、配線を容易とするマルチメディアポートを提供することを目的とする。
【課題を解決するための手段】
【０００５】
上記課題を解決するための請求項１記載の発明は、映像用機器および通信用機器の少なくとも一方を内器として１ないし複数情報盤内に収容して構成されるマルチメディアポートであって、前記情報盤を構成するボディ内に中継端子台を備え、この中継端子台は、送り配線される少なくとも一対の外部ケーブルと接続される一方、内部ケーブルにより所定の送り配線用の内器と接続されることを特徴とする。
【発明の効果】
【０００６】
本発明によれば、送り配線用の内器の未使用時には、内部ケーブルを短絡しておき、送り配線用の内器の使用時には、内部ケーブルにより送り配線用の内器と中継端子台とを接続すればよいので、外部ケーブルをボディの内部に引き込んで引き回す必要がなくなり、配線が容易となる。
【発明を実施するための最良の形態】
【０００７】
図１は本発明による一実施形態のマルチメディアポートの情報盤を構成するボディの斜視図、図２は同マルチメディアポートの分解斜視図、図３，４はボディに設けられる中継端子台の使用例を示す模式図である。
【０００８】
本実施形態のマルチメディアポートは、映像用機器および通信用機器の少なくとも一方を内器として１ないし複数情報盤内に収容するものであり、図２の例では、前方に矩形状の開口を有する箱状に形成された樹脂製のボディ１およびこの開口を閉塞する形状に形成された樹脂製のカバー２により構成される情報盤を備え、この情報盤内に、金属（例えば鉄などの磁性体）製の内器取付板３と、複数の内器４とを収容している。
【０００９】
上記箱状のボディ１の底部となる後面部１０には、図１，図２に示すように、左右方向を長手方向とする矩形状のケーブル挿通孔１０ａが、上端および下端側にそれぞれ複数穿設され、取付ねじの足部挿通用の頭部が上向きとなるだるま状の取付孔１０ｂが、上端側中央に穿設され、そして矩形状で上下中央に半円状の切り欠きの有る十字状の取付孔１０ｃが４隅近傍の各々に穿設されている。これにより、先行配線されたケーブルをケーブル挿通孔１０ａに挿通した上で、取付孔１０ｂ，１０ｃに、例えば壁面などの施工面に仮固定された取付ねじなどの金具を挿通すれば、その金具によりボディ１を施工面に仮止めすることができ、仮固定された金具を固定することにより、ボディ１を施工面に固定することができる。
【００１０】
また、ボディ１の後面部１０における上端側のケーブル挿通孔１０ａの下方近傍には、内器４の上端部を後面部１０の前面に取り付けるための取付ねじ孔（例えばナットの孔）１０ｄが、所定の単位寸法間隔で複数左右方向に並設されている。後面部１０における下端側のケーブル挿通孔１０ａの上方近傍には、先端部が上向きで前方に突出する断面Ｌ字状に形成され内器４の下端を支持するための支持片１００および内器４の下端部を後面部１０の前面に取り付けるための取付ねじ孔（例えばナットの孔）１０ｅが、所定の単位寸法間隔で複数左右方向に並設されている。
【００１１】
さらに、ボディ１の後面部１０における左端側中央には、商用電源とこれを必要とする内器４との間に介設される図示しないジョイントボックスを取り付けるための突台１０１が前方に突設されている。ジョイントボックスには、商用電源からの先行配線されたケーブル（メタルケーブル）と上記内器４へのケーブル（メタルケーブル）とが接続され、内部配線により商用電源と上記内器４とが接続される。
【００１２】
ボディ１の後面部１０の全周から前方に立設され、上側面部１１、下側面部１２、左側面部１３および右側面部１４からなる側周部は、各内器４の前後方向における奥行き寸法よりも大きい寸法に設定される。また、上側面部１１および下側面部１２の各縁部には、後述する一対の脚部３１，３１の先端部３１２，３１２とそれぞれ当接する図示しない一対の鍔片が、一体ないし別部品により設けられ、これら一対の鍔片の各々には、ねじ孔またはナットによるねじ孔が形成されている。
【００１３】
カバー２は、後方に矩形状の開口を有する箱状に形成され、例えば自己の開口縁部がボディ１の開口縁部と嵌合することによりボディ１に固定され、ボディ１の開口を開閉自在に閉塞するようになっている。そして、箱状のカバー２の底部となる前面部２０には、左右方向を長手方向とする通気口２０ａが上端および下端側の各々に複数形成されている。また、カバー２の前面部２０の全周から後方に立設される側周部も、各内器４の前後方向における奥行き寸法よりも大きい寸法に設定される。
【００１４】
内器取付部材３は、矩形状の主部３０と、この上下端の各両側に延設された一対の脚部３１，３１とを有するＨ字状に形成され、主部３０の左端中央に、ボディ１の後面部１０における突台１０１を前方に露呈するための切り欠き３０ａを有している一方、主部３０の右端寄りに、ボディ１の後面部１０に取り付けられる内器４に対して窓部となる窓孔３０ｂを有している。
【００１５】
主部３０の上端側には、内器４の上端部を当該主部３０の前面に取り付けるための取付ねじ孔３０ｄが、所定の単位寸法間隔で複数左右方向に並設されている。主部３０の下端側には、内器４の下端部を当該主部３０の前面に取り付けるための取付ねじ孔３０ｅが、所定の単位寸法間隔で複数左右方向に並設されている。また、主部３０には、所定の単位寸法に準じない形状の内器４を取り付けるための取付ねじ孔が複数形成されている。
【００１６】
脚部３１は、基部３１０と先端部３１２との間の中間部３１１が後方に屈曲する段差構造となっており、一段後方に位置する先端部３１２には、頭部横向き（例えば右向き）のだるま状の取付孔が穿設されている。これにより、内器取付部材３の各脚部３１の取付孔に、ボディ１の各鍔片のねじ孔に仮固定された取付ねじを挿通すれば、それらの各取付ねじにより内器取付部材３をボディ１に仮止めすることができ、仮固定された取付ねじを固定することにより、内器取付部材３をボディ１に固定することができる。内器取付部材３をボディ１から取り外す場合には、上記各取付ねじを緩めた後、各取付ねじの頭部を脚部３１の取付孔の胴部に通すようにすれば、内器取付部材３をボディ１から取り外すことができる。
【００１７】
内器４には、所定の単位寸法に準じた形状のもの（図２ではボディ１に取り付けられている内器４，４）と、そうでないもの（図では内器取付部材３に取り付けられている内器４）とがあり、単位寸法に準じた内器４は、上下の高さ寸法が略一定の高さに設定され、左右の幅寸法が所定の単位寸法の整数倍（１，２倍等）に設定された器体４０を備えることにより、寸法のモジュール化が図られている。
【００１８】
上記器体４０は、上下方向を長手方向とし前面部および後面部が矩形状となる角状に形成され、前面部に対して後面部が上下にそれぞれ突出することにより上端部４０１および下端部４０２が鍔状となっている。このような器体は、例えば、後方に開口を有する器体ボディと、これよりも上下方向に長い裏蓋とにより構成することができる。あるいは、後方に開口を有しこの開口縁部の上下にフランジを有する器体ボディと、この開口を閉塞する裏蓋とにより構成することもできる。
【００１９】
器体４０の上端部４０１には、ボディ１の取付ねじ孔１０ｄまたは内器取付部材３の取付ねじ孔３０ｄに対応する取付ねじの足部挿通用の挿通孔４０１ａが穿設されているとともに、下端部４０２には、ボディ１の取付ねじ孔１０ｅまたは内器取付部材３の取付ねじ孔３０ｅに対応する取付ねじの足部挿通用の挿通孔が穿設されている。
【００２０】
そして、本実施形態の特徴として、図１に示すように、ボディ１の後面部１０の下端中央であって両ケーブル挿通孔１０ａ，１０ａ間に中継端子台１０２を備え、この中継端子台１０２は、送り配線される一対の外部ケーブル（図３，図４のＬ１，Ｌ１参照）と接続される一方、内部ケーブル（図４のＬ２，Ｌ２参照）により、ＳＣＰユニットなどの所定の送り配線用の内器４と接続されるようになっている。
【００２１】
図１，図３，図４の例では、ボディ１の後面部１０前面の下端中央に設けられている中継端子台１０２は、角状の端子台本体（器体）を有し、この端子台本体の上側面部および下側面部にそれぞれ内部ケーブルの接続部および外部ケーブルの接続部を有している。なお、これに限らず、内部ケーブルの接続部を端子台本体の前面部または上側面部に設けるとともに、外部ケーブルの接続部を端子台本体の後面部に設けて、この後面部がくるボディ１の後面部１０の位置にケーブル挿通孔を穿設するようにしてもよい。あるいは、外部ケーブルの接続部を端子台本体の左右側面部に設けて、中継端子台１０２両側のケーブル挿通孔１０ａ，１０ａを介して一対の外部ケーブルとそれぞれ接続されるようにしてもよい。
【００２２】
このような構成のマルチメディアポートによれば、例えば、内器４の下端をボディ１の支持片１００で支持し、その器体４０の上端部４０１の挿通孔４０１ａに取付ねじの足部を挿通して、対応するボディ１の取付ねじ孔１０ｄに螺着するとともに、器体４０の下端部４０２の挿通孔に取付ねじの足部を挿通して、対応するボディ１の取付ねじ孔１０ｅに螺着することにより、内器４をボディ１の後面部１０の前面に簡単に取り付けることができる。なお、器体４０の上端部４０１の挿通孔４０１ａを頭部上向きのだるま状にすることにより、内器４をボディ１の後面部１０の前面により簡単に取り付けることができる。
【００２３】
また、内器４の器体４０における上端部４０１の挿通孔４０１ａおよび下端部４０２の挿通孔を、それぞれ内器取付部材３の取付ねじ孔３０ｄおよび取付ねじ孔３０ｅに位置合わせしながら、上端部４０１の挿通孔４０１ａに取付ねじの足部を挿通して、対応する内器取付部材３の取付ねじ孔３０ｄに螺着するとともに、下端部４０２の挿通孔に取付ねじの足部を挿通して、対応する内器取付部材３の取付ねじ孔３０ｅに螺着することにより、内器４を内器取付部材３の主部３０の前面に取り付けることができる。これにより、マルチメディアポートの左右方向の幅寸法を増大させることなく、マルチメディアポートに収納可能な内器４の個数を増やすことができる。
【００２４】
さらに、図３に示すように、上記送り配線用の内器４の未使用時には、内部ケーブルＬ２を短絡しておき、図４に示すように、送り配線用の内器４の使用時には、内部ケーブルＬ２，Ｌ２により送り配線用の内器４と中継端子台１０２とを接続すればよいので、外部ケーブルＬ１，Ｌ１をボディ１の内部に引き込んで引き回す必要がなくなり、配線が容易となる。また、外部ケーブルＬ１，Ｌ１の接続部を端子台本体の後面部に設けて、この後面部がくるボディ１の後面部１０の位置にケーブル挿通孔を穿設する構成の場合には、送り配線用の外部ケーブルＬ１，Ｌ１をボディ１の内部に引き込む必要がなくなる。
【００２５】
なお、本実施形態において、特許文献１と同様に、取付ねじ孔１０ｄ，１０ｅおよび支持片１００などは、ボディ１の底部内面にねじ止めされる取付プレート（取付台）に形成するようにしてもよい。
【図面の簡単な説明】
【００２６】
【図１】本発明による一実施形態のマルチメディアポートの情報盤を構成するボディの斜視図である。
【図２】同マルチメディアポートの分解斜視図である。
【図３】ボディに設けられる中継端子台の使用例を示す模式図である。
【図４】ボディに設けられる中継端子台の使用例を示す模式図である。
【符号の説明】
【００２７】
１  ボディ
１０  後面部
１０ａ  ケーブル挿通孔
１０ｂ  取付孔
１０ｃ  取付孔
１０ｄ  取付ねじ孔
１０ｅ  取付ねじ孔
１００  支持片
１０１  突台
１０２  中継端子台
１１  上側面部
１２  下側面部
１３  左側面部
１４  右側面部
２  カバー
２０  前面部
２０ａ  通気口
３  内器取付部材
３０  主部
３１  脚部
３１０  基部
３１１  中間部
３１２  先端部
４  内器
【図１】
2005079341.tif 000003
【図２】
2005079341.tif 000004
【図３】
2005079341.tif 000005
【図４】
2005079341.tif 000006